【手続補正書】
【提出日】平成16年8月11日(2004.8.11)
【手続補正１】
【補正対象書類名】明細書
【補正対象項目名】特許請求の範囲
【補正方法】変更
【補正の内容】
【特許請求の範囲】
【請求項１】
異なる温度の加熱により異なる２色に発色する記録媒体に対して、複数の発熱体からなる加熱手段の前記各発熱体を選択的に駆動することにより２色の画像を記録する画像記録方法であって、
記録する画像の１画素記録周期内に第１パルス、第２パルス、これら第１，第２パルスによる前記発熱体の温度を所定値に保つための補正を行なうための第３パルス、および、前記発熱体を予備加熱するための第４パルスを連続して設け、
前記第１，第２，第３，第４パルスからなる通電パルスで前記加熱手段の発熱体を駆動して前記記録媒体の第１の発色加熱を行ない、前記第２，第３，第４パルスからなる通電パルスで前記加熱手段の発熱体を駆動して前記記録媒体の第２の発色加熱を行なうことにより、第１の発色画像および第２の発色画像を記録することを特徴とする画像記録方法。
【請求項２】
現在記録しようとしている注目画素に対応する加熱手段の発熱体の発熱履歴情報、過去の発熱履歴情報、および、未来の発熱履歴情報をそれぞれ参照することにより、前記注目画素の記録エネルギを制御することを特徴とする請求項１記載の画像記録方法。
【請求項３】
現在記録しようとしている注目画素が前記第１の発色画像および第２の発色画像でなく、かつ、未来の記録ラインで前記注目画素に対応する位置の画素が前記第１の発色画像または第２の発色画像の場合、前記第４パルスを有効にすることにより、前記第１の発色画像および第２の発色画像の発色エネルギよりも少ないエネルギを印加して前記加熱手段の発熱体を予熱することを特徴とする請求項１記載の画像記録方法。
【請求項４】
画像の記録開始前に環境温度を検知し、この検知した環境温度をあらかじめ設定される所定値と比較することにより、その比較結果に応じて前記第４パルスのパルス幅を増減制御することを特徴とする請求項３記載の画像記録方法。
【請求項５】
現在記録しようとしている注目画素の直後に記録する未来の画素が前記第１の発色画像および第２の発色画像のうちの発色温度の高い一方の発色画像の場合、前記第４パルスを無効にすることを特徴とする請求項３記載の画像記録方法。
【請求項６】
現在記録しようとしている注目画素の直前に記録した過去の画素が前記第１の発色画像または第２の発色画像で、かつ、前記注目画素の直後に記録しようとしている未来の画素が前記第１の発色画像または第２の発色画像の場合、前記注目画素に対応する前記加熱手段の発熱体の予熱を禁止することを特徴とする請求項３記載の画像記録方法。
【請求項７】
現在記録しようとしている注目画素の直前に記録した過去の画素が前記第１の発色画像または第２の発色画像で、かつ、前記注目画素が非記録画像の場合には、前記注目画素に対応する前記加熱手段の発熱体の予熱を禁止することを特徴とする請求項３記載の画像記録方法。
【請求項８】
第１温度に加熱すると第１の発色をし、前記第１温度よりも低い第２の温度に加熱すると第２の発色をする記録媒体に対して、複数の発熱体からなる加熱手段の前記各発熱体を選択的に駆動することにより、第１の発色画像および第２の発色画像を記録する画像記録方法であって、
記録する画像の１画素記録周期内に第１パルス、第２パルス、および、前記加熱手段の発熱体を予備加熱するための第３パルスを連続して設け、
前記第１，第２，第３パルスからなる通電パルスで前記加熱手段の発熱体を駆動して前記記録媒体の第１の発色加熱を行ない、前記第２，第３パルスからなる通電パルスで前記加熱手段の発熱体を駆動して前記記録媒体の第２の発色加熱を行なうことにより、第１の発色画像および第２の発色画像を記録することを特徴とする画像記録方法。
【請求項９】
現在記録しようとしている注目画素に対応する画像情報および１画素未来の画像情報をそれぞれ参照することにより、前記注目画素の画像情報が非記録情報で、かつ、１画素未来の画像情報が第１または第２の発色情報のときに、前記第３パルスを有効にして前記加熱手段の発熱体を前記第２温度以下に予備加熱することを特徴とする請求項８記載の画像記録方法。
【請求項１０】
現在記録しようとしている注目画素に対応する画像情報と１画素未来の画像情報と１画素過去の画像情報を参照することにより、前記注目画素の画像情報が非記録情報で、かつ、１画素未来の画像情報が第１または第２の発色情報で、さらに、１画素過去の画像情報が第１の発色情報以外のときに、前記第３パルスを有効にして前記加熱手段の発熱体を前記第２温度以下に予備加熱することを特徴とする請求項８記載の画像記録方法。
【請求項１１】
前記加熱手段周辺の雰囲気温度を検知し、この検知した雰囲気温度があらかじめ設定された所定温度以下の場合、現在記録しようとしている注目画素に対応する画像情報および１画素未来の画像情報をそれぞれ参照することにより、前記注目画素の画像情報が非記録情報で、かつ、１画素未来の画像情報が第１または第２の発色情報のときに、前記第３パルスを有効にして前記加熱手段の発熱体を前記第２温度以下に予備加熱し、
前記検知した雰囲気温度があらかじめ設定された所定温度よりも高い場合、現在記録しようとしている注目画素に対応する画像情報と１画素未来の画像情報と１画素過去の画像情報を参照することにより、前記注目画素の画像情報が非記録情報で、かつ、１画素未来の画像情報が第１または第２の発色情報で、さらに、１画素過去の画像情報が第１の発色情報以外のときに、前記第３パルスを有効にして前記加熱手段の発熱体を前記第２温度以下に予備加熱する
ことを特徴とする請求項８記載の画像記録方法。
【請求項１２】
異なる温度の加熱により異なる色に発色する記録媒体を搬送する搬送手段と、
この搬送手段で搬送される前記記録媒体に対して、複数の発熱体を選択的に駆動することにより画像を記録する加熱手段と、
前記記録媒体の発色温度まで加熱する発色通電パルス、この発色通電パルスによる前記発熱体の温度を所定値に保つための補正を行なうための蓄熱制御パルス、および、前記発熱体を予備加熱するための予熱制御パルスからなる通電パルスを発生するパルス発生手段と、
このパルス発生手段から発生される通電パルスで前記加熱手段の発熱体を駆動する駆動手段と、
を具備したことを特徴とする画像記録装置。
【請求項１３】
異なる温度の加熱により異なる２色に発色する記録媒体を搬送する搬送手段と、
この搬送手段で搬送される前記記録媒体に対して、複数の発熱体を選択的に駆動することにより画像を記録する加熱手段と、
記録する画像の１画素記録周期内に第１パルス、第２パルス、これら第１，第２パルスによる前記発熱体の温度を所定値に保つための補正を行なうための第３パルス、および、前記発熱体を予備加熱するための第４パルスを発生するパルス発生手段と、
このパルス発生手段から発生される前記第１，第２，第３，第４パルスからなる通電パルスで前記加熱手段の発熱体を駆動することにより前記記録媒体の第１の発色加熱を行なう第１の駆動手段と、
前記パルス発生手段から発生される前記第２，第３，第４パルスからなる通電パルスで前記加熱手段の発熱体を駆動することにより前記記録媒体の第２の発色加熱を行なう第２の駆動手段と、
を具備したことを特徴とする画像記録装置。
【請求項１４】
第１温度に加熱すると第１の発色をし、前記第１温度よりも低い第２の温度に加熱すると第２の発色をする記録媒体を搬送する搬送手段と、
この搬送手段で搬送される前記記録媒体に対して、複数の発熱体を選択的に駆動することにより画像を記録する加熱手段と、
前記記録媒体の発色温度まで加熱する発色通電パルス、および、前記発熱体を予備加熱するための予熱制御パルスからなる通電パルスを発生するパルス発生手段と、
このパルス発生手段から発生される通電パルスで前記加熱手段の発熱体を駆動することにより、第１の発色加熱および第２の発色加熱を行なう駆動手段と、
を具備したことを特徴とする画像記録装置。
【請求項１５】
第１温度に加熱すると第１の発色をし、前記第１温度よりも低い第２の温度に加熱すると第２の発色をする記録媒体を搬送する搬送手段と、
この搬送手段で搬送される前記記録媒体に対して、複数の発熱体を選択的に駆動することにより画像を記録する加熱手段と、
記録する画像の１画素記録周期内に第１パルス、第２パルス、および、前記発熱体を予備加熱するための第３パルスを発生するパルス発生手段と、
このパルス発生手段から発生される前記第１，第２，第３パルスからなる通電パルスで前記加熱手段の発熱体を駆動することにより前記記録媒体の第１の発色加熱を行なう第１の駆動手段と、
前記パルス発生手段から発生される前記第２，第３パルスからなる通電パルスで前記加熱手段の発熱体を駆動することにより前記記録媒体の第２の発色加熱を行なう第２の駆動手段と、
を具備したことを特徴とする画像記録装置。
【手続補正２】
【補正対象書類名】明細書
【補正対象項目名】００１０
【補正方法】変更
【補正の内容】
【００１０】
【課題を解決するための手段】
本発明の画像記録方法は、異なる温度の加熱により異なる２色に発色する記録媒体に対して、複数の発熱体からなる加熱手段の前記各発熱体を選択的に駆動することにより２色の画像を記録する画像記録方法であって、記録する画像の１画素記録周期内に第１パルス、第２パルス、これら第１，第２パルスによる前記発熱体の温度を所定値に保つための補正を行なうための第３パルス、および、前記発熱体を予備加熱するための第４パルスを連続して設け、前記第１，第２，第３，第４パルスからなる通電パルスで前記加熱手段の発熱体を駆動して前記記録媒体の第１の発色加熱を行ない、前記第２，第３，第４パルスからなる通電パルスで前記加熱手段の発熱体を駆動して前記記録媒体の第２の発色加熱を行なうことにより、第１の発色画像および第２の発色画像を記録することを特徴とする。
【手続補正３】
【補正対象書類名】明細書
【補正対象項目名】００１１
【補正方法】変更
【補正の内容】
【００１１】
また、本発明の画像記録方法は、第１温度に加熱すると第１の発色をし、前記第１温度よりも低い第２の温度に加熱すると第２の発色をする記録媒体に対して、複数の発熱体からなる加熱手段の前記各発熱体を選択的に駆動することにより、第１の発色画像および第２の発色画像を記録する画像記録方法であって、記録する画像の１画素記録周期内に第１パルス、第２パルス、および、前記加熱手段の発熱体を予備加熱するための第３パルスを連続して設け、前記第１，第２，第３パルスからなる通電パルスで前記加熱手段の発熱体を駆動して前記記録媒体の第１の発色加熱を行ない、前記第２，第３パルスからなる通電パルスで前記加熱手段の発熱体を駆動して前記記録媒体の第２の発色加熱を行なうことにより、第１の発色画像および第２の発色画像を記録することを特徴とする。